(57)【要約】      （修正有）【課題】煩雑な作業を必要とせずに、複数の商品を積み上げて収納し、そして商品サンプルや商品自体を展示することができる商品収納展示具を提供する。【解決手段】略水平な展示面の上に載置される底板１と、この底板１から立ち上がった背板２と、この背板２から折れて底板１と対面するように延びる天板３と、この天板３から折れて背板２と対面するように延びる前板４とから構成する。底板１の上において商品を縦一列に積み上げ収納可能とする。そして前板４と底板１との間に、商品が１個だけ通過し得る間隙を設け、該間隙には、前板４と底板１とを連結する連結部材１０を配設する。背板２の下端部に、上から下に行くにつれて次第に前方に行くように傾斜した商品案内部２０を設けて、最下段の商品の後端部が該商品案内部２０により前方に向けて案内されて、その前端部が上記間隙を通過して前板４の前方に突出するように構成する。【選択図】図１
0003192739.tif 000002
【実用新案登録請求の範囲】
【請求項１】
略水平な展示面の上に載置される底板と、この底板から立ち上がった背板と、この背板から折れて前記底板と対面するように延びる天板と、この天板から折れて前記背板と対面するように延びる前板とを有してなる商品収納展示具であって、
前記底板の上において、前記背板と前板との間に所定の商品を縦一列に積み上げ収納可能とされ、
前記前板と前記底板との間に、前記商品が１個だけ通過し得る間隙が設けられ、
前記前板および底板の左右両側端部の少なくとも一方に、前記間隙の間を延びて、該前板と底板とを連結する連結部材が配設され、
前記背板の下端部に、上から下に行くにつれて次第に前方に行くように傾斜した商品案内部が形成され、最下段の前記商品の後端部が前記商品案内部により前方に向けて案内されて該最下段の前記商品の前端部が前記間隙を通過し前記前板の前方に突出するように構成されていることを特徴とする商品収納展示具。
【請求項２】
略水平な展示面の上に載置される底板と、この底板から立ち上がった背板と、この背板から折れて前記底板と対面するように延びる天板と、この天板から折れて前記背板と対面するように延びる前板と、前記底板および天板の左側端部同士あるいは右側端部同士を連結する側板とを有してなる商品収納展示具であって、
前記底板の上において、前記背板と前板との間に所定の商品を縦一列に積み上げ収納可能とされ、
前記前板と前記底板との間に、前記商品が１個だけ通過し得る間隙が設けられ、
前記背板の下端部に、上から下に行くにつれて次第に前方に行くように傾斜した商品案内部が形成され、最下段の前記商品の後端部が前記商品案内部により前方に向けて案内されて該最下段の前記商品の前端部が前記間隙を通過し前記前板の前方に突出するように構成されていることを特徴とする商品収納展示具。
【請求項３】
略水平な展示面の上に載置される底板と、この底板から立ち上がった背板と、この背板から折れて前記底板と対面するように延びる天板と、この天板から折れて前記背板と対面するように延びる前板と、前記前板および背板の左側端部同士あるいは右側端部同士を連結する側板とを有してなる商品収納展示具であって、
前記底板の上において、前記背板と前板との間に所定の商品を縦一列に積み上げ収納可能とされ、
前記前板と前記底板との間に、前記商品が１個だけ通過し得る間隙が設けられ、
前記背板の下端部に、上から下に行くにつれて次第に前方に行くように傾斜した商品案内部が形成され、最下段の前記商品の後端部が前記商品案内部により前方に向けて案内されて該最下段の前記商品の前端部が前記間隙を通過し前記前板の前方に突出するように構成されていることを特徴とする商品収納展示具。
【請求項４】
展示面の上に載置される基部と、この基部から立ち上がった背板と、この背板に取り付けられて略水平な方向に延びる棚板状の底板と、前記背板に取り付けられて前記底板に上方から対面するように延びる天板と、前記背板と対面するように前記天板から下方に向かって延びる前板とを有してなる商品収納展示具であって、
前記底板の上において、前記背板と前板との間に所定の商品を縦一列に積み上げ収納可能とされ、
前記前板と前記底板との間に、前記商品が１個だけ通過し得る間隙が設けられ、
前記底板の背板側の端部において、底板上面と背板とを連結する位置に、上から下に行くにつれて次第に前方に行くように傾斜した商品案内部が形成され、最下段の前記商品の後端部が前記商品案内部により前方に向けて案内されて該最下段の前記商品の前端部が前記間隙を通過し前記前板の前方に突出するように構成されていることを特徴とする商品収納展示具。
【請求項５】
前記底板の左右両側端面の一方から他方に向かう方向に沿って、仕切られた複数の領域が並ぶように、この底板の上の空間を仕切る仕切板が少なくとも１枚設けられている請求項４記載の商品収納展示具。
【請求項６】
前記底板および／または前記背板に、前記底板の左右両側端面の一方から他方に向かう方向に沿って並ぶ複数の仕切板取付部が設けられ、前記仕切板がこれらの仕切板取付部の各々に対して着脱自在に形成されている請求項５記載の商品収納展示具。
【請求項７】
前記底板が上下方向に互いに間隔を置いて複数設けられ、最下位に有る底板以外の底板が前記天板を兼ねている請求項４から６いずれか１項記載の商品収納展示具。
【請求項８】
前記前板が前記天板に対して着脱自在とされると共に、前記商品案内部が前記背板および／または前記底板に対して着脱自在とされている請求項４から７いずれか１項記載の商品収納展示具。
【請求項９】
請求項８記載の商品収納展示具を構成するアタッチメントであって、前記天板に対して着脱自在とされた前記前板と、前記背板および／または前記底板に対して着脱自在とされた前記商品案内部とからなる商品収納展示具用アタッチメント。
【請求項１０】
請求項２または３記載の商品収納展示具を形成するための梱包体であって、
前記底板を構成する箱底板と、前記背板を構成する箱背板と、前記天板を構成する箱天板と、前記前板を構成する箱前板と、前記箱底板、箱背板、箱天板および箱前板の左側端部に連結した箱左側板と、前記箱底板、箱背板、箱天板および箱前板の右側端部に連結した箱右側板とから概略直方体状に形成されて、内部に前記商品を複数収納した梱包箱と、
前記商品案内部を構成する三角柱状の部材からなる案内部材とを有し、
前記箱前板に、前記間隙を形成するための切取領域を示す表示がなされていることを特徴とする梱包体。
【請求項１１】
前記案内部材が前記梱包箱内に収められている請求項１０記載の梱包体。
【請求項１２】
前記切取領域を示す表示が、この切取領域の外周縁上に断続的に形成された、前記箱前板を貫通する切込みからなるものである請求項１０または１１記載の梱包体。
【考案の詳細な説明】
【技術分野】
【０００１】
本考案は、複数の商品を積み上げて収納する商品収納展示具に関し、特に、積み上げた上に商品サンプルや商品自体を展示するのに適した商品収納展示具に関するものである。
【０００２】
また本考案は、そのような商品収納展示具を構成するためのアタッチメントおよび梱包体に関するものである。
【背景技術】
【０００３】
従来、各種小売店や観光土産店等において、複数の所定商品を縦一列に積み上げて置いておくことが広くなされている。その種の商品は、包装紙等で包装されて中身が見えない状態になっている場合が多い。そのような場合は、積み上げた商品の上に、その中身のサンプルや、あるいは包装を解いた状態の商品を置いて、購入者が商品の中身を確認可能にしていることも多い。
【考案の概要】
【考案が解決しようとする課題】
【０００４】
しかし、積み上げた商品の上に、商品サンプルや包装を解いた商品が置かれていると、商品が購入される都度、その置かれている物を積み上げ商品の上から降ろし、最上段の商品を取った後にその物をまた積み上げ商品の上に戻す、という煩雑な作業が必要になる。
【０００５】
そこで本考案は、上記のような煩雑な作業を必要とせずに、積み上げた複数の商品を順次取り出し可能で、そして商品サンプルや商品自体を展示することができる商品収納展示具を提供することを目的とする。
【０００６】
また本考案は、既存の棚等に取り付けて、上記のような商品収納展示具を構成できるアタッチメントを提供することを目的とする。
【０００７】
さらに本考案は、上記のような商品収納展示具を構成できる梱包体を提供することを目的とする。
【課題を解決するための手段】
【０００８】
本考案による商品収納展示具は、縦一列に積み上げた複数の商品を最下段の物から順次取り出せるようにし、そして積み上げた複数の商品の上には天板を存在させて、そこに商品サンプル等を載置可能としたものである。
【０００９】
すなわち本考案による一つの商品収納展示具は、より詳細には、
略水平な展示面の上に載置される底板と、この底板から立ち上がった背板と、この背板から折れて上記底板と対面するように延びる天板と、この天板から折れて上記背板と対面するように延びる前板とを有してなる商品収納展示具であって、
底板の上において、背板と前板との間に所定の商品を縦一列に積み上げ収納可能とされ、
前板と底板との間に、上記商品が１個だけ通過し得る間隙が設けられ、
前板および底板の左右両側端部の少なくとも一方に、上記間隙の間を延びて、該前板と底板とを連結する連結部材が配設され、
背板の下端部に、上から下に行くにつれて次第に前方に行くように傾斜した商品案内部が形成され、最下段の商品の後端部が上記商品案内部により前方に向けて案内されて該最下段の商品の前端部が上記間隙を通過し前板の前方に突出するように構成されていることを特徴とするものである。
【００１０】
また、本考案による別の商品収納展示具は、より詳細には、
略水平な展示面の上に載置される底板と、この底板から立ち上がった背板と、この背板から折れて上記底板と対面するように延びる天板と、この天板から折れて上記背板と対面するように延びる前板と、上記底板および天板の左側端部同士あるいは右側端部同士を連結する側板とを有してなる商品収納展示具であって、
底板の上において、背板と前板との間に所定の商品を縦一列に積み上げ収納可能とされ、
前板と底板との間に、上記商品が１個だけ通過し得る間隙が設けられ、
背板の下端部に、上から下に行くにつれて次第に前方に行くように傾斜した商品案内部が形成され、最下段の商品の後端部が上記商品案内部により前方に向けて案内されて該最下段の商品の前端部が上記間隙を通過し前板の前方に突出するように構成されていることを特徴とするものである。
【００１１】
また、本考案によるさらに別の商品収納展示具は、上記の側板に代えて別の側板が用いられたものであり、より詳細には、
略水平な展示面の上に載置される底板と、この底板から立ち上がった背板と、この背板から折れて上記底板と対面するように延びる天板と、この天板から折れて上記背板と対面するように延びる前板と、上記前板および背板の左側端部同士あるいは右側端部同士を連結する側板とを有してなる商品収納展示具であって、
底板の上において、背板と前板との間に所定の商品を縦一列に積み上げ収納可能とされ、
前板と底板との間に、上記商品が１個だけ通過し得る間隙が設けられ、
背板の下端部に、上から下に行くにつれて次第に前方に行くように傾斜した商品案内部が形成され、最下段の商品の後端部が上記商品案内部により前方に向けて案内されて該最下段の商品の前端部が上記間隙を通過し前板の前方に突出するように構成されていることを特徴とするものである。
【００１２】
なお、上述のように前板および背板の左側端部同士あるいは右側端部同士を連結する側板は、それと共に、底板および天板の左側端部同士あるいは右側端部同士を連結するように構成されてもよい。
【００１３】
また、以上述べた本考案による商品収納展示具においては、底板の前端部が、前記展示面から上方に離れて位置するように構成されていることが望ましい。
【００１４】
一方、本考案によるさらに別の商品収納展示具は、
展示面の上に載置される基部と、この基部から立ち上がった背板と、この背板に取り付けられて略水平な方向に延びる棚板状の底板と、背板に取り付けられて底板に上方から対面するように延びる天板と、背板と対面するように天板から下方に向かって延びる前板とを有してなる商品収納展示具であって、
上記底板の上において、背板と前板との間に所定の商品を縦一列に積み上げ収納可能とされ、
前板と底板との間に、上記商品が１個だけ通過し得る間隙が設けられ、
底板の背板側の端部において、底板上面と背板とを連結する位置に、上から下に行くにつれて次第に前方に行くように傾斜した商品案内部が形成され、最下段の商品の後端部が上記商品案内部により前方に向けて案内されて該最下段の商品の前端部が上記間隙を通過し前板の前方に突出するように構成されていることを特徴とするものである。
【００１５】
なお、この棚板状の底板を有する商品収納展示具においては、底板の左右両側端面の一方から他方に向かう方向に沿って、仕切られた複数の領域が並ぶように、この底板の上の空間を仕切る仕切板が少なくとも１枚設けられていることが望ましい。
【００１６】
また、このような仕切板が設けられる場合は、底板および／または背板に、底板の左右両側端面の一方から他方に向かう方向に沿って並ぶ複数の仕切板取付部が設けられ、仕切板がこれらの仕切板取付部の各々に対して着脱自在に形成されていることが望ましい。
【００１７】
また、上記棚板状の底板を有する商品収納展示具においては、底板が上下方向に互いに間隔を置いて複数設けられ、最下位に有る底板以外の底板が天板を兼ねていることが望ましい。
【００１８】
さらに、上記棚板状の底板を有する商品収納展示具においては、前板が天板に対して着脱自在とされると共に、上記商品案内部が背板および／または底板に対して着脱自在とされていることが望ましい。
【００１９】
このような商品収納展示具を、既存の棚等を利用して構成するために、本考案は専用のアタッチメントを提供するものである。すなわち、本考案によるアタッチメントは、上記天板に対して着脱自在とされた前板と、上記背板および／または底板に対して着脱自在とされた商品案内部とからなるものである。
【００２０】
一方、本考案による梱包体は、本考案の商品収納展示具を形成するための梱包体であって、
前記底板を構成する箱底板と、前記背板を構成する箱背板と、前記天板を構成する箱天板と、前記前板を構成する箱前板と、前記箱底板、箱背板、箱天板および箱前板の左側端部に連結した箱左側板と、前記箱底板、箱背板、箱天板および箱前板の右側端部に連結した箱右側板とから概略直方体状に形成されて、内部に商品を複数収納した梱包箱と、
前記商品案内部を構成する三角柱状の部材からなる案内部材とを有し、
箱前板に、前記間隙を形成するための切取領域を示す表示がなされていることを特徴とするものである。
【００２１】
なお、この本考案による梱包体においては、上記案内部材が梱包箱内に収められていることが望ましい。
【００２２】
また、上記切取領域を示す表示は、この切取領域の外周縁上に断続的に形成された、箱前板を貫通する切込みからなるものであることが望ましい。
【考案の効果】
【００２３】
本考案による商品収納展示具は上述した通りの構成を有するものであるので、この商品収納展示具によれば、天板の上に商品サンプルや、あるいは包装を解いた商品実物を置いて展示したまま、縦一列に積み上げた複数の商品を、最下段のものから順次取り出し可能となる。よって、商品が購入される都度、商品サンプルや商品実物を積み上げ商品の上から降ろし、また元に戻すといった煩雑な作業を不要にすることができる。
【００２４】
また、その中でも特に前述の連結部材を有する商品収納展示具によれば、この連結部材による補強効果が得られるので、前記間隙が広くなったり反対に狭くなったりするように商品収納展示具が変形してしまうことを防止可能となる。
【００２５】
また、特に前述の底板および天板の左側端部同士あるいは右側端部同士を連結する側板を有する商品収納展示具によれば、この側板による補強効果が得られるので、底板と天板とが近付いたり反対に遠ざかったりするように商品収納展示具が変形してしまうことを防止可能となる。
【００２６】
また、特に前述の前板および背板の左側端部同士あるいは右側端部同士を連結する側板を有する商品収納展示具によれば、この側板による補強効果が得られるので、前板と背板とが近付いたり反対に遠ざかったりするように商品収納展示具が変形してしまうことを防止可能となる。
【００２７】
一方、本考案の梱包体は、
前述した通りの箱底板と、箱背板と、箱天板と、箱前板と、箱左側板と、箱右側板とから概略直方体状に形成されて、内部に商品を複数収納した梱包箱と、
商品案内部を構成する三角柱状の部材からなる案内部材とを有し、
そして箱前板に、前記間隙を形成するための切取領域を示す表示がなされたものであるので、この梱包体によれば本考案の商品収納展示具を構成することができる。
【図面の簡単な説明】
【００２８】
【図１】本考案の一実施形態による商品収納展示具を示す斜視図
【図２】上記商品収納展示具を示す側面図
【図３】上記商品収納展示具の使用状態を示す斜視図
【図４】本考案の別の実施形態による商品収納展示具を示す側面図
【図５】本考案のさらに別の実施形態による商品収納展示具を示す斜視図
【図６】図５の商品収納展示具の使用状態を示す斜視図
【図７】本考案のさらに別の実施形態による商品収納展示具を示す斜視図
【図８】本考案の一実施形態による梱包体を示す一部破断側面図
【図９】上記梱包体を構成する梱包箱を示す斜視図
【図１０】上記梱包体に梱包されている物品を示す斜視図
【図１１】本考案の商品収納展示具に取り付けられるラック部材の一例を示す斜視図
【図１２】上記梱包体から商品収納展示具を作成する工程を説明する概略図
【図１３】上記梱包体から形成された商品収納展示具の使用状態を示す斜視図
【図１４】上記梱包体から形成された商品収納展示具の使用状態を示す一部破断側面図
【図１５】本考案の別の実施形態による梱包体を示す一部破断側面図
【図１６】本考案のさらに別の実施形態による梱包体を示す一部破断側面図
【考案を実施するための形態】
【００２９】
以下、図面を参照して本考案の実施の形態を詳細に説明する。図１および図２はそれぞれ、本考案の一実施形態による商品収納展示具の斜視形状および側面形状を示すものである。
【００３０】
これらの図に示される通り本実施形態の商品収納展示具は、略水平な展示面Ｓの上に載置される底板１と、この底板１から立ち上がった背板２と、この背板２から折れて上記底板１と対面するように延びる天板３と、この天板３から折れて上記背板２と対面するように延びる前板４と、側板５とを有して構成されている。また、前板４の下端と底板１との間には、後述する商品Ｔが１個だけ通過し得る間隙が設けられている。
【００３１】
図中の２０は、背板２の、底板１に連絡する下端部であって、それよりも上の背板部分に対して斜めに形成されている。なお本明細書では、商品収納展示具の前板４側を前方と称し、この前方側から後方側つまり背板２側を見たときの側板５側を左側、反対側を右側と称することとする。
【００３２】
また上記展示面Ｓは、その上が商品展示用の空間となる面であって、例えば各種小売店における商品展示台の上面等である。
【００３３】
以上の各板１〜５は、例えば合成樹脂や、アルミ合金等の金属を好適に用いて形成される。底板１、背板２、天板３および前板４は、例えば１枚の板材を折り曲げて形成することができるが、それに限らず、各１枚の板材から形成された上でそれらが互いに接着等によって一体化されてもよい。
【００３４】
側板５は、底板１、背板２、天板３および前板４の例えば各左側端部に接着等により接合されて、それらの左側端部同士を連結している。そこで側板５による補強効果が得られ、底板１と天板３とが近付いたり反対に遠ざかったりするように、あるいは前板４と背板２とが近付いたり反対に遠ざかったりするように商品収納展示具が変形してしまうことを防止可能となる。なお側板５は、底板１および天板３だけの左側端部同士あるいは右側端部同士を連結するように構成されてもよく、さらには、背板２および前板４だけの左側端部同士あるいは右側端部同士を連結するように構成されても構わない。そのようにした場合でも、上に述べたような補強効果を得ることができる。
【００３５】
さらに、前板４および底板１の一側端部（右の側端部）において、前記間隙の間を延びて、前板４と底板１とを連結する連結部材１０が配設されている。この連結部材１０は例えば前板４および底板１にそれぞれ接着する、ネジ止めする等により連結させることができる。このような連結部材１０が設けられていることにより、上記間隙が広くなったり反対に狭くなったりするように商品収納展示具が変形してしまうことも防止可能となる。なお、前板４および底板１の左の側端部にも同様の連結部材を設けて、補強効果をさらに高めるようにしてもよい。
【００３６】
底板１の下面には、前板４に近い位置において、角柱状の１本の横部材６が固着されている。さらに底板１の下面には、背板２の下端部２０に近い位置において、球の一部を切り取った形状とされた脚部材７が左右方向に互いに間を置いて２個固着されている。これらの横部材６および脚部材７は、例えば合成樹脂や合成ゴム等の滑り難い材料から形成されて、商品収納展示具が展示面Ｓの上で滑ることを防止する。
【００３７】
横部材６は、脚部材７よりも厚さが大とされている。そのため、商品収納展示具が展示面Ｓの上に載置されると、底板１の前端部が、展示面Ｓから上方に離れて位置するようになる。
【００３８】
次に、この商品収納展示具の作用について説明する。図１に示すように商品収納展示具の内部には、背板２と前板４との間において底板１の上に、所定の複数の商品Ｔが縦一列に積み上げて収納される。この商品Ｔは例えば直方体状の箱に入れた上で包装紙によって包装されたものであり、したがって商品中身を外から見ることは不可能となっている。
【００３９】
この包装された直方体状の商品Ｔとしては、その奥行寸法（図２の略左右方向寸法）並びに高さ寸法（図２の略上下方向寸法）が異なる種々のものを取扱い可能である。収納対象である商品Ｔの奥行寸法に対して、背板２と前板４との間の間隔はもちろんそれ以上であることが必要である。しかし、後述するように最下段の商品Ｔを前板４の前に突出させる上で、該間隔は商品Ｔの奥行寸法と比べて余りに大ではないことが望ましい。
【００４０】
また底板１と天板３との間の間隔は、収納対象である商品Ｔの高さ寸法並びに、その最大積み上げ個数に応じて適切に設定される。他方、前板４の下端と底板１との間の間隙は、商品Ｔが１個だけ通過し得る上下幅とされる。
【００４１】
以上のように各寸法が適切に設定された商品収納展示具において、底板１の上に複数の商品Ｔが縦一列に積み上げ収納されると、背板２の下端部２０の作用により、最下段の商品Ｔの前端部が上記間隙を通過して、前板４の前方に突出するようになる。すなわち、背板２の下端部２０は上から下に行くにつれて次第に前方に行くように傾斜した面とされているので、最下段の商品Ｔの後端部がこの下端部２０の上に載ると、該商品Ｔが前方に向けて案内移動されることになる。
【００４２】
最下段の商品Ｔの前端部が前板４の前方に突出すれば、図３に示すようにこの前端部を手で掴んで、一つの商品Ｔを商品収納展示具から取り出すことができる。こうして一つの商品Ｔを商品収納展示具から取り出すと、その上に位置していた商品Ｔが今度は最下段に位置することになる。そこで、その商品Ｔも上記下端部２０に案内されて、前端部が前板４の前方に突出するようになる。
【００４３】
なお本実施形態では、前述したように横部材６の作用により、底板１の前端部が、展示面Ｓから上方に離れて位置するようになっている。そうであれば、商品Ｔの前端部の下面と展示面Ｓとの間に指を入れやすくなるので、この前端部を簡単に掴むことが可能になる。
【００４４】
以上説明した通り、本実施形態の商品収納展示具によれば、天板３の上に商品サンプルや、あるいは包装を解いた商品実物を置いて展示したまま、縦一列に積み上げた複数の商品Ｔを、最下段のものから順次取り出すことができる。よって、商品が購入される都度、商品サンプルや商品実物を積み上げ商品の上から降ろしたり、また元に戻すといった煩雑な作業が不要となる。また、商品Ｔの取り出しは、背板２の下端部２０の作用により円滑になされ得るから、商品Ｔにキズが付くようなことも防止される。
【００４５】
以上説明した実施形態では、天板３の上に商品のサンプルや実物を置いて展示可能としているが、前板４の前方や天板３の上方に、商品を展示するための展示部を別途設けてもよい。以下、そのように形成された別の実施形態について、図４を参照して説明する。なお図４において、既に説明したものと同等の要素については同じ番号を付してあり、それらについての説明は特に必要の無い限り省略する（以下、同様）。
【００４６】
図４は、展示部を構成するラック部材の側面形状を示している。図示のようにこのラック部材は、天板３の上面に取り付けられる取付面２１と、この取付面２１から折れ曲がった保持面２２とを有している。保持面２２の先端部は概略コ字状に折り曲げられている。このラック部材を用いれば、図４に示すように、保持面２２のコ字状部分に商品サンプルＴａや、あるいは包装を解いた商品の実物を保持して展示可能となる。
【００４７】
なお、このような展示部は、前板４の前方に配置する他、天板３の上方や、さらには前板４の前方でかつ天板３の上方に当たる所に配置してもよい。
【００４８】
次に図５および図６を参照して、本考案の別の実施形態による商品収納展示具について説明する。図５は、本実施形態の商品収納展示具の斜視形状を示すものである。同図に示される通りこの商品収納展示具は、展示面Ｓの上に載置される基部３０と、この基部３０から立ち上がった背板３２と、この背板３２に取り付けられて略水平な方向に延びる棚板状の２つの底板３１と、背板３２に取り付けられて底板３１に上方から対面するように延びる天板３３と、背板３２と対面するように天板３３から下方に向かって延びる前板３４とを有している。
【００４９】
なお本実施形態において、基部３０の上面は平坦面とされて、該基部３０は１つの底板を兼ねている。また２つの底板３１は、それぞれ天板を兼ねている。これらの天板としての底板３１には、上記と同様に下方に向かって延びる前板３４が取り付けられている。本実施形態において前板３４は例えば断面Ｌ字状に形成されて、天板３３に、あるいは天板としての底板３１に、例えば平頭ビス４１を用いて取り付けられている。
【００５０】
基部３０の上面と前板３４の下端との間、そして底板３１（より詳しくはその上の前板３４）と前板３４の下端との間には、先に述べたのと同様の、商品を取り出すための間隙が形成されている。この間隙も、後述する商品Ｔが１個だけ通過し得る上下幅とされている。
【００５１】
基部３０および底板３１には、底板３１の左右両側端面の一方から他方に向かう方向に沿って並ぶ複数のスリット３１ａが設けられている。また背板３２にも、同じ方向に沿って並ぶ複数のスリット３２ａが設けられている。これらのスリット３１ａおよび３２ａは、一般的な書棚等に設けられるスリットと同様のものであり、仕切板３５を着脱自在とする仕切板取付部として作用する。すなわち、仕切板３５の一つの辺の一部、別の辺の一部にそれぞれ形成された挿入部（図示せず）が各々スリット３１ａ、３２ａに挿し込んで固定される。なお、この種の従来の仕切板におけるのと同様に、上記挿入部はスリット３１ａ、３２ａに弾力的に係止するようにして、仕切板３５が強固に固定されるように構成するのが好ましい。
【００５２】
また、底板３１の背板３２側の端部において、底板上面と背板３２とを連結する位置に、上から下に行くにつれて次第に前方に行くように傾斜した斜め板４０が取り付けられている。この斜め板４０は、先に説明した実施形態における背板下端部２０と同様に、商品案内部として作用するものである。この斜め板４０は、一例として仕切板３５の挿入部と同様の挿入部をスリット３１ａに係止させることによって、底板３１に固定することができる。ただし、それに限らず、その他の機構を用いて該斜め板４０を底板３１、あるいは背板３２に固定するようにしても構わない。
【００５３】
以上の構成を有する本実施形態の商品収納展示具においても、図６に示すように、背板３２と前板３４との間において底板１の上に、所定の複数の商品Ｔが縦一列に積み上げて収納される。そして、この場合は斜め板４０の作用により、最下段の商品Ｔの前端部が上記間隙を通過して、前板３４の前方に突出するようになる。こうして最下段の商品Ｔの前端部が前板３４の前方に突出すれば、この前端部を手で掴んで、一つの商品Ｔを商品収納展示具から取り出すことができる。
【００５４】
なお本実施形態では底板３１の上の空間が、仕切板３５によって、複数のスリット３１ａが並ぶ方向に亘って２つの領域に分けられる。各領域の左右方向幅は、仕切板３５の取付位置を変えることによって、変更自在となっている。そこで、収納対象の商品Ｔのサイズに応じて、例えば仕切板３５の右側には比較的幅が小さい商品を収納し、左側には比較的幅が大きい商品を収納するようなことも可能である。また、仕切板３５を２つ以上取り付けて、底板３１の上の空間を３つ以上に仕切ることも可能である。
【００５５】
以上、底板３１の上に複数の商品Ｔを積み上げ収納する場合について説明したが、底板を兼ねる基部３０の上に複数の商品Ｔを積み上げ収納することも可能であり、そうした場合も、上に述べたのと同様にして、商品収納展示具から一つずつ商品Ｔを取り出すことができる。
【００５６】
ここで、商品案内部としての斜め板４０は、前述した通り底板３１に対して着脱自在である。また前板３４も、天板３３に、あるいは天板としての底板３１に、例えば平頭ビス４１を用いて取り付けられるので、天板３３あるいは底板３１に対して着脱自在である。そこで、これらの斜め板４０および前板３４を、既存の書棚等を商品収納展示具に改造するためのアタッチメントとして販売することもできる。
【００５７】
なお、前板３４や斜め板４０を上述のように着脱自在とすることは必ずしも必要ではなく、図７に示す実施形態のように、天板３３あるいは底板３１と一体的に前板３４を形成しても構わない。
【００５８】
次に、本考案の商品収納展示具を形成するための梱包体の実施形態について説明する。図８は、本考案の一実施形態による梱包体を示す一部破断側面図であり、図９はこの梱包体を構成する梱包箱５０を示す斜視図、そして図１０は上記梱包箱５０内に収納される物品をまとめて示す斜視図である。
【００５９】
図８に示す梱包体は、梱包箱５０の中に所定数の複数の商品Ｔを積み上げ収納すると共に、概略三角柱状の案内部材６０と、概略一枚の板状のアクリル板６２とを収納してなるものである。
【００６０】
梱包箱５０は図９に示す通り、本考案の商品収納展示具における底板、背板、天板、前板、左側板、および右側板をそれぞれ構成する箱底板５１、箱背板５２、箱天板５３、箱前板５４、箱左側板５５、および箱右側板５６を有して、概略直方体状に形成されている。この梱包箱５０は、例えば段ボールから形成されている。なお図９では、破線で示す折り曲げ領域５２ｂおよび切取領域５４ｂを明示するために、本来破線で示すべき箱背板５２の下端縁と左端縁、並びに箱左側板５５の下端縁を実線で示している。
【００６１】
箱背板５２の下端部つまり箱底板５１に近い部分には、長方形状に連なる切込み線５２ａを外周縁とする折り曲げ領域５２ｂが形成されている。この切込み線５２ａは、箱背板５２を構成する段ボールにミシン目状の断続的切込みを入れて形成されたものである。本例において、特に長方形の上辺となる部分の切込み線５２ａは、箱背板５２を構成する段ボールの厚さの半分程度の深さとされ、その他の３辺部分の切込み線５２ａは、上記段ボールを貫通する深さとされている。
【００６２】
そして上記長方形の上辺部分の切込み線５２ａと重ねて例えば緑色の線の表示がなされ、その線の近くには、「この線に沿って内側に折る」という文字表示がなされている。一方、上記３辺部分の切込み線５２ａと重ねて例えば赤色の線の表示がなされ、その線の近くには、「この線に沿って破る」という文字表示がなされている。なお、上記線の表示および文字表示の一方あるいは双方は省かれても構わないが、その場合は、組立説明書を梱包箱５０に添付して、そこに同様の説明を記載しておくことが望ましい。
【００６３】
また箱前板５４の下端部つまり箱底板５１に近い部分には、長方形状に連なる切込み線５４ａを外周縁とする切取領域５４ｂが形成されている。この切込み線５４ａも、箱前板５４を構成する段ボールにミシン目状の断続的切込みを入れて形成されたものである。この切込み線５２ａは全長に亘って、箱前板５４を構成する段ボールを貫通する深さとされている。
【００６４】
そして上記長方形状の切込み線５４ａと重ねて例えば赤色の線の表示がなされ、その線の近くには、「この線に沿って切り取る」という文字表示がなされている。なお、上記線の表示および文字表示の一方あるいは双方は省かれても構わないが、その場合も、前述した組立説明書等に同様の説明を記載しておくことが望ましい。
【００６５】
切取領域５４ｂは、後述するように切込み線５４ａに沿って箱前板５４から切り取られるが、この切取領域５４ｂの左右幅は箱前板５４の左右幅よりも若干短く設定されている。そこで、切取領域５４ｂの切り取り後も、その左右に箱前板５４の一部が残されて、その部分が梱包箱５０を補強する効果が得られる。
【００６６】
なお切取領域５４ｂは、その外周縁を切込み線５４ａおよび、それに重ねた線の表示で示す他、線の表示のみで示すようにしてもよい。その場合は、「この線に沿ってカッター等で切込みを入れて、その内側の部分を切り取って下さい。」というような説明を併せて表示しておくのが望ましい。こうして線の表示だけで領域を示すようにしてもよいのは、前述した折り曲げ領域５２ｂに関しても同様である。
【００６７】
次に、梱包箱５０内に収納される物品について説明する。それらの物品は図１０に示すように、複数の商品Ｔと、１つの三角柱状の案内部材６０と、１枚のアクリル板６２である。案内部材６０は一例として発泡スチレンからなり、例えば直角二等辺三角形の断面形状を有するものとされている。そしてこの案内部材６０の両端面以外の３面のうち、最も広い面には、表面を離型紙（剥離紙）で覆った状態にして両面粘着テープ６１が貼付されている。また、その面と隣り合う一面にも、同様に表面を離型紙で覆った状態にして両面粘着テープ（図示せず）が貼付されている。
【００６８】
またアクリル板６２は、表面上で商品Ｔの隅部が滑りやすいように、その表面が平滑に仕上げられたものである。このアクリル板６２の裏面には、表面を離型紙で覆った状態にして両面粘着テープ６３が貼付されている。なおこの両面粘着テープ６３や上に述べた両面粘着テープ６１は、予めアクリル板６２や案内部材６０に貼付しておく他、別個に用意して梱包箱５０内に収納させておき、後述するように商品収納展示具を形成する際に、作業者がアクリル板６２や案内部材６０に貼付するようにしてもよい。
【００６９】
さらに、アクリル板６２や案内部材６０は、本実施形態のように梱包箱５０の中に収納しておく他、梱包箱５０とは別の梱包にして、梱包箱５０が届けられる商店等に配送されるようにしても構わない。
【００７０】
次に、以上述べた梱包箱５０と、その中に収納された案内部材６０およびアクリル板６２からなる梱包体を用いて、本考案の商品収納展示具を形成する点について説明する。なお本例においては、先に図４に示したものと同様の展示部を構成するラック部材が商品収納展示具に取り付けられる。図１１はそのラック部材７０を示すものであり、このラック部材７０は図４におけるのと同様の取付面２１および保持面２２を有し、例えばアクリル樹脂等から形成されている。なお取付面２１の裏面には、表面を離型紙で覆った状態にして複数の両面粘着テープ７１が貼付されている。このラック部材７０は、例えば梱包箱５０と同梱状態にして、梱包箱５０が届けられる商店等に配送される。
【００７１】
商品収納展示具を形成する際には、まず図１２に示すように、梱包箱５０の内部に収納されていた商品Ｔ、案内部材６０およびアクリル板６２が箱外に取り出される。この取り出しは、以下のようにしてなされる。箱天板５３は、例えば２枚の蓋状部材がガムテープ等の接合部材により接合されて１枚の板とされている。これら２枚の蓋状部材は、一般的な段ボール箱におけるのと同様に、それぞれ基端が箱左側板５５、箱右側板５６に折り曲げ状態で連結しているものである。そして、これら２枚の蓋状部材は、先端縁同士が突き合わせられ、その突き合わせ箇所を左右両側に跨いでガムテープ等が貼られて、一体化されている。そこで、いったん上記ガムテープ等を剥がして蓋が開いた状態とし、そこから商品Ｔ、案内部材６０およびアクリル板６２が取り出される。
【００７２】
次に、箱背板５２の長方形状に連なる切込み線５２ａのうち、その上辺以外の３辺の内側部分を強く箱内側に押し込むことにより、その３辺において箱背板５２が破られる。なおこのとき、箱背板５２を破るのが難しい場合は、必要に応じてその３辺をカッター等で切るようにしてもよい。こうして上記３辺において箱背板５２を破り、その３辺の内側領域を箱内側に押し込むと、長方形状の切込み線５２ａの上辺（ここは前述した通り、浅い切込み深さとされている）を軸にして、折り曲げ領域５２ｂが箱内側に折れ曲がるようになる。図１２は、この状態を示している。なお図１２では、折り曲げ領域５２ｂおよび切取領域５４ｂを、特にハッチングを付して示している（図１４〜１６も同様）。
【００７３】
次に、折り曲げ領域５２ｂが折れ曲がったことにより形成された箱背板５２の開口部分から、梱包箱５０の中に案内部材６０が挿入される。このとき、案内部材６０の図１２中における下面と、その下面の上の斜面に貼付されていた両面粘着テープ（図１０中の両面粘着テープ６１）の離型紙が剥がされ、それらの両面粘着テープによって、案内部材６０の下面が箱底面５１の上に固着され、また上記斜面に折り曲げ領域５２ｂの下面が固着される。
【００７４】
次に、アクリル板６２に貼付されていた両面粘着テープ６３（図１０参照）の離型紙が剥がされ、アクリル板６２が該両面粘着テープ６３によって折り曲げ領域５２ｂの上面に固着される。以上の作業が終了すると、複数の商品Ｔが元の状態、つまり箱底板５１の上に積み上げられた状態にして梱包箱５０内に戻され、開かれていた蓋板状の箱天板５３はガムテープ等の接合部材を用いて閉じられる。
【００７５】
その後、箱前板５４の切込み線５４ａに沿って箱前板５４が破られ、該切込み線５４ａの内側の切取領域５４ｂが切り取られる。そこでこの切込み線５４ａの内側の部分に、商品Ｔが１個だけ通過し得る間隙が形成される。図１３および図１４は、以上の状態を示している。こうして形成された商品収納展示具においては、既に述べた実施形態の商品収納展示具におけるのと同様にして、上記間隙から商品Ｔを１個ずつ取り出すことが可能になる。
【００７６】
なお図１３は、図１１に示したラック部材７０が取り付けられた状態を示している。このラック部材７０は、取付面２１の裏面に貼付されている両面粘着テープ７１（図１１参照）の離型紙を剥がして、その両面粘着テープ７１を箱天板５３に貼着させることにより、箱天板５３に固定することができる。
【００７７】
以上説明した通り本実施形態においては、案内部材６０と折り曲げ領域５２ｂとアクリル板６２により、商品案内部が構成されている。しかしそれに限らず、梱包箱５０が、つまりは折り曲げ領域５２ｂが平滑な材料から形成されて、その上で商品Ｔが滑りやすくなっている場合は、特にアクリル板６２を設けなくても構わない。
【００７８】
また梱包箱５０は、段ボール以外の材料から形成することも可能である。特に、梱包箱５０内の商品Ｔを外側から視認可能とするためには、梱包箱５０を透明材料や半透明材料から形成するのが好ましい。また案内部材６０としては、板部材を折り曲げて中空の三角柱状としたものも適用可能である。さらにこの案内部材６０やアクリル板６２を梱包箱５０側に固定するためには、両面接着テープ以外の例えば接着剤等が用いられてもよい。
【００７９】
次に図１５を参照して、本考案による梱包体の別の実施形態について説明する。この梱包体は、上に説明した梱包体と比べると、折り曲げ領域５２ｂの上に固着されるアクリル板６６が、折り曲げ領域５２ｂと同じ上下幅とされた点で異なるものである。この構成とする場合は、長方形状の切込み線５２ａ（図９参照）の３辺で箱背板５２を破った後、折り曲げ領域５２ｂをいったん梱包箱５０の外側に折り曲げることにより、この折り曲げ領域５２ｂにアクリル板６６を固着し、それから折り曲げ領域５２ｂを梱包箱５０の内側に折り曲げることができる。その後は、前述した場合と同様にして、案内部材６０が箱底面５１の上面および折り曲げ領域５２ｂの下面に固着される。
【００８０】
本例においては、上述のように折り曲げ領域５２ｂを梱包箱５０の内側に折り曲げる前に切取領域５４ｂを切り取っておけば、それで商品収納展示具が完成する。つまり本例では、商品収納展示具を形成するに当たり、箱天板５３を開いて梱包箱５０内からいったん複数の商品Ｔを取り出すことは不要となる。その点を考慮すると、案内部材６０およびアクリル板６６は梱包箱５０の中に収納させずに、梱包箱５０とは別体に梱包しておくのがより好ましい。
【００８１】
次に図１６を参照して、本考案による梱包体のさらに別の実施形態について説明する。この梱包体は、上に説明した梱包体と比べると、案内部材６０とその斜面に固着されたアクリル板７２とで商品案内部を構成するようにした点で異なるものである。つまり本例では、図９に示したものと同様の長方形状の切込み線５２ａの全周に亘って箱背板５２が破られ、その切込み線５２ａの内側が切り取られて開口５２ｃが形成される。そして、アクリル板７２を固着した案内部材６０が上記開口５２ｃを通して梱包箱５０内に挿入され、該案内部材６０の下面が箱底面５１の上面に固着される。
【符号の説明】
【００８２】
１    底板
２    背板
３    天板
４    前板
５    側板
１０    連結部材
２０    背板の下端部（商品案内部）
３０    基部
３１    底板
３１ａ  底板のスリット（仕切板取付部）
３２    背板
３２ａ  背板のスリット（仕切板取付部）
３３    天板
３４    前板
３５    仕切板
４０    斜め板（商品案内部）
４１    ビス
５０    梱包箱
５１    箱底板
５２    箱背板
５２ａ、５４ａ    切込み線
５２ｂ    折り曲げ領域
５２ｃ    開口
５３    箱天板
５４    箱前板
５４ｂ    切取領域
５５    箱左側板
５６    箱右側板
６０    案内部材
６２、６６、７２    アクリル板
７０    ラック部材
【図１】
0003192739.tif 000003
【図２】
0003192739.tif 000004
【図３】
0003192739.tif 000005
【図４】
0003192739.tif 000006
【図５】
0003192739.tif 000007
【図６】
0003192739.tif 000008
【図７】
0003192739.tif 000009
【図８】
0003192739.tif 000010
【図９】
0003192739.tif 000011
【図１０】
0003192739.tif 000012
【図１１】
0003192739.tif 000013
【図１２】
0003192739.tif 000014
【図１３】
0003192739.tif 000015
【図１４】
0003192739.tif 000016
【図１５】
0003192739.tif 000017
【図１６】
0003192739.tif 000018